(57)【要約】【課題】  表示板と指針とを共通の光源にて照明する指針式計器装置において、表示板と指針とを異なるタイミングで照明する。【解決手段】  光源４は表示板１と指針３とを照明し、表示板１は光源４からの光により光輝し、指針３は光源４からの光を受光部３１０により受光することで光輝する指針式計器装置において、光源４からの光を遮断する遮光部１４を受光部３１０と光源４との間に設け、光源４からの光を透過する透過部１３を表示板１に設け、指針３が回動する領域は、透過部１３を透過した光を受光部３１０で受光し、指針３が光輝する第一回動領域３Ａと、遮光部１４により光源４からの光が遮断され、受光部３１０で光を受光せず、指針３が光輝しない第二回動領域３Ｂと、を備える。【選択図】  図４
2012220290.tif 000002
【特許請求の範囲】
【請求項１】
光源からの光により光輝する意匠部と貫通孔部とを備えた表示板と、前記貫通孔部を介して駆動本体に設けられた指針軸の先端側に固定され、前記光源からの光を受光部より受光し、光輝する指針と、前記表示板の背面側に配設され、前記光源からの光を前記表示板に反射するリフレクタを有するケース体と、前記ケース体の背面側に配設され、前記光源と前記駆動本体と制御部とが実装された回路基板と、を備えた指針式計器装置であって、
前記受光部と前記光源との間に前記光源からの光を遮断する遮光部を設け、
前記表示板は、前記光源から出射された光を前記指針側へ透過する透過部を設け、前記指針が回動する領域は、前記透過部を透過した光を受光部で受光し、前記指針が光輝する第一回動領域と、前記遮光部により前記光源からの光が遮断され、前記受光部で光を受光せず、前記指針が光輝しない第二回動領域と、を備えること、を特徴とする指針式計器装置。
【請求項２】
光源からの光により光輝する意匠部と貫通孔部とを備えた表示板と、前記貫通孔部を介して駆動本体に設けられた指針軸の先端側に固定され、前記光源からの光を受光部より受光し、光輝する指針と、前記表示板の背面側に配設されたケース体と、
前記光源の直上に設けられ前記光源から発せられた光を前記指針側へ導光する導光部と、前記導光部の導光経路の途中に設けられ前記光源から発せられた光を外側に向けて反射させる反射部と、前記反射部によって反射させた光を出射する出射部と、を備えた導光体と、
前記ケース体の背面側に配設され、前記光源と前記駆動本体と制御部とが実装された回路基板と、を備えた指針式計器装置であって、
前記受光部と前記光源との間に前記光源からの光を遮断する遮光部を設け、
前記表示板は、前記光源から出射された光を前記指針側へ透過する透過部を設け、前記指針が回動する領域は、前記透過部を透過した光を受光部で受光し、前記指針が光輝する第一回動領域と、前記遮光部により前記光源からの光が遮断され、前記受光部で光を受光せず、前記指針が光輝しない第二回動領域と、を備えること、を特徴とする指針式計器装置。
【請求項３】
前記制御部は、前記光源を点灯させたのち、前記指針を第二回動領域から第一回動領域に回動させる点灯遅延手段を備えること、を特徴とする請求項１または請求項２に記載の指針式計器装置。
【請求項４】
前記制御部は、前記指針を第一回動領域から第二回動領域に回動させたのち、前記光源を消灯させる消灯遅延手段を備えることを特徴とする請求項１乃至３
のいずれかに記載の指針式計器装置。
【請求項５】
前記透過部は、前記貫通孔部を中心とした円弧形状であることを特徴とする請求項１乃至４のいずれかに記載の指針式計器装置。
【請求項６】
前記遮光部は前記表示板もしくは前記ケース体のいずれかで構成されていること、を特徴とする請求項１乃至５のいずれかに記載の指針式計器装置。
【請求項７】
前記透過部は、前記表示板を固定する固定部材に形成されており、前記遮光部は、前記固定部材の一部により構成されていることを特徴とする請求項１乃至６のいずれかに記載の指針式計器装置。
【請求項８】
前記指針は、裏側に光を透過しない裏蓋部を設けること、を特徴とする請求項１乃至７のいずれかに記載の指針式計器装置。
【請求項９】
前記第一回動領域と前記第二回動領域の境界において、前記透過部もしくは前記遮光部は半透過部を備えること、を特徴とする請求項１乃至８のいずれかに記載の指針式計器装置。
【発明の詳細な説明】
【技術分野】
【０００１】
本発明は、表示板と指針とを共通の光源を用いつつ、表示板と指針の照明されるタイミングが異なる指針式計器装置に関するものである。
【背景技術】
【０００２】
従来の指針式計器装置は、特許文献１に開示されているものが知られている。この指針式計器装置は、駆動本体の指針軸に装着された指針によって車輌の計測量を表示する指針式計器装置であって、計器装置動作開始時に趣向を凝らした表示演出を行わせるため、車両を駆動させるＩＧＮ  ＯＮ（イグニッションスイッチＯＮ）時に表示板の点灯タイミングに対し、指針の点灯タイミングを遅延させるものである。
【先行技術文献】
【特許文献】
【０００３】
【特許文献１】特公平０８−０１４５００号公報
【発明の概要】
【発明が解決しようとする課題】
【０００４】
しかしながら、このような指針式計器装置において表示板と指針の点灯タイミングをずらす場合、表示板を照明する表示板用光源と、指針を照明する指針用光源と、を備え、制御部において表示板用光源と指針用光源の点灯タイミングをずらすような制御を行っており、コストダウンの観点等から表示板と指針の光源を共通化させた場合、このような遅延の演出を行えなかった。
【０００５】
そこで本発明は、前述の問題点に着目し、表示板と指針とを共通の光源にて照明する指針式計器装置において、表示板と指針とを異なるタイミングで照明することができる指針式計器装置を提供することを目的とする。
【課題を解決するための手段】
【０００６】
本発明は、前述した課題を解決するため、請求項１では、光源からの光により光輝する意匠部と貫通孔部とを備えた表示板と、前記貫通孔部を介して駆動本体に設けられた指針軸の先端側に固定され、前記光源からの光を受光部より受光し、光輝する指針と、前記表示板の背面側に配設され、前記光源からの光を前記表示板に反射するリフレクタを有するケース体と、前記ケース体の背面側に配設され、前記光源と前記駆動本体と制御部とが実装された回路基板と、を備えた指針式計器装置であって、
前記受光部と前記光源との間に前記光源からの光を遮断する遮光部を設け、
前記表示板は、前記光源から出射された光を前記指針側へ透過する透過部を設け、前記指針が回動する領域は、前記透過部を透過した光を受光部で受光し、前記指針が光輝する第一回動領域と、前記遮光部により前記光源からの光が遮断され、前記受光部で光を受光せず、前記指針が光輝しない第二回動領域と、を備えるものである。
【０００７】
また、請求項２では、光源からの光により光輝する意匠部と貫通孔部とを備えた表示板と、前記貫通孔部を介して駆動本体に設けられた指針軸の先端側に固定され、前記光源からの光を受光部より受光し、光輝する指針と、前記表示板の背面側に配設されたケース体と、
前記光源の直上に設けられ前記光源から発せられた光を前記指針側へ導光する導光部と、前記導光部の導光経路の途中に設けられ前記光源から発せられた光を外側に向けて反射させる反射部と、前記反射部によって反射させた光を出射する出射部と、を備えた導光体と、
前記ケース体の背面側に配設され、前記光源と前記駆動本体と制御部とが実装された回路基板と、を備えた指針式計器装置であって、
前記受光部と前記光源との間に前記光源からの光を遮断する遮光部を設け、
前記表示板は、前記光源から出射された光を前記指針側へ透過する透過部を設け、前記指針が回動する領域は、前記透過部を透過した光を受光部で受光し、前記指針が光輝する第一回動領域と、前記遮光部により前記光源からの光が遮断され、前記受光部で光を受光せず、前記指針が光輝しない第二回動領域と、を備えるものである。
【０００８】
斯かる構成により、表示板と指針とを共通の光源にて照明する指針式計器装置において、表示板と指針とを異なるタイミングで照明することができる指針式計器装置を提供することができる。
【０００９】
また、請求項３では、前記制御部は、前記光源を点灯させたのち、前記指針を第二回動領域から第一回動領域に回動させる点灯遅延手段を備えるものであり、表示板と指針とを共通の光源にて照明する指針式計器装置において、表示板を光輝（点灯）させるタイミングと指針を光輝（点灯）させるタイミングをずらすことができる。
【００１０】
また、請求項４では、前記制御部は、前記指針を第一回動領域から第二回動領域に回動させたのち、前記光源を消灯させる消灯遅延手段を備えるものであり、表示板と指針とを共通の光源にて照明する指針式計器装置において、表示板を消灯させるタイミングと指針を消灯させるタイミングをずらすことができる。
【００１１】
また、請求項５では、前記透過部は、前記貫通孔部を中心とした円弧形状であるものであり、第一回動領域においては、略一定の輝度で、効率的に指針を光輝させることができる。
【００１２】
また、請求項６では、前記遮光部は前記表示板もしくは前記ケース体のいずれかで構成されているものであり、部品数を増やすことなく、遮光部を設けることができる。
【００１３】
また、請求項７では、前記透過部は、前記表示板を固定する固定部材に形成されており、前記遮光部は、前記固定部材の一部により構成されているものであり、透過部と遮光部とを一部品で形成することができ、脱着により容易に透過部と遮光部とを設けることができる。
【００１４】
また、請求項８では、前記指針は、裏側に光を透過しない裏蓋部を設けるものであり、指針を光輝させない第二回動領域において、確実に指針に入射する光を遮断し、第一回動領域と第二回動領域における指針の点灯／消灯をより確実に行うことができ、脱着により容易に遮光部を設けることができる。
【００１５】
また、請求項９では、前記第一回動領域と前記第二回動領域の境界において、前記透過部もしくは前記遮光部は半透過部を備えるものであり、指針が第一回動領域と第二回動領域における点灯／消灯の演出を緩やかにする指針式計器装置を提供することができる。
【発明の効果】
【００１６】
表示板と指針とを共通の光源にて照明する指針式計器装置において、表示板と指針とを異なるタイミングで照明することができる指針式計器装置を提供する。
【図面の簡単な説明】
【００１７】
【図１】本発明の第一実施形態における指針式計器装置の正面図
【図２】本発明の第一実施形態における指針式計器装置の断面図であり、図１のＰ−Ｐ断面図
【図３】本発明の第一実施形態における表示板の正面図
【図４】本発明の第一実施形態における指針の回動領域についての説明図
【図５】本発明の第一実施形態における点灯遅延手段の説明図
【図６】本発明の第一実施形態における指針式計器装置の断面図であり、図５の各過程における断面図
【図７】本発明の第一実施形態における消灯遅延手段の説明図
【図８】本発明の第一実施形態における指針式計器装置の断面図であり、図７の各過程における断面図
【図９】本発明の第二実施形態における指針式計器装置の断面図の要部拡大図
【図１０】本発明の第三実施形態における固定部材の断面図
【図１１】本発明の第三実施形態における指針式計器装置の断面図の要部拡大図
【図１２】本発明の第四実施形態における指針式計器装置の断面図の要部拡大図
【図１３】本発明の第五実施形態における裏蓋部の斜視図
【図１４】本発明の第六実施形態における半透過部の説明図
【発明を実施するための形態】
【００１８】
以下に、本発明の指針式計器装置１００の実施形態を図を用いて説明する。図１は、本実施形態における指針式計器装置１００の正面図であり、図２は、本実施形態における指針式計器装置１００のＰ−Ｐ断面図である。本発明の指針式計器装置１００は、表示板１と、駆動本体２と、指針３と、光源４と、回路基板５と、ケース体６と、により構成されている。
【００１９】
表示板１は、図３に示すように、目盛や数字等の指標を表示する透光性の意匠部１１と、駆動本体２の指針軸２１が挿通する貫通孔部１２と、透過部１３と、遮光部１４と、を備えている。
意匠部１１は、背面側から光源４により照明されることで利用者に視認される。
透過部１３は、貫通孔部１２を中心とした円弧状の切り抜きにより形成されるが、光を透過するものであれば良いので、例えば、透光性を有する白色印刷等によって形成されても良い。
透過部１３を貫通孔部１２を中心とした円弧状にすることで、余計な部分からの光漏れを防止し、効率的に光源４からの光を指針３の回動に合わせ出射することができる。
【００２０】
駆動本体２は、後述する回路基板５に実装され、指針３が装着される指針軸２１を備えている。指針軸２１は、貫通孔部１２を介して、その先端部分が表示板１の正面側に突出している。
【００２１】
指針３は、指針基部３１と、意匠部１１を指示する指示部３２と、指針キャップ３３と、により構成されている。
指針基部３１は、透光性の樹脂等で指示部３２と一体に形成されており、駆動本体２に設けられた指針軸２１に固定され、光源４からの光を受光する受光部３１０と、遮光性の塗料等が塗布されるもしくは遮光性の樹脂等により形成される指針遮光部３１１とを備える。
指針キャップ３３は、遮光性の合成樹脂からなり、指針基部３１を覆うように具備されている。
指針３は、表示板１の透過部１３を透過した光を受光部３１０により受光し、指示部３２が光輝する。
【００２２】
光源４は、駆動本体２の指針軸２１の周りに１個もしくは複数個実装され、基板に対して垂直方向に光を発するトップビュー型の発光ダイオードからなり、表示板１及び指針３を照明する。
【００２３】
回路基板５は、後述するケース体６の背面側に配設され、光源４や駆動本体２やマイクロコンピュータ等からなる制御部５１を実装し、指針式計器装置１００の電気的な制御を行うものである。
【００２４】
ケース体６は、表示板１と回路基板５との間に配置され、表示板１と回路基板５とを固定し、光源４から発せられた光を指針軸２１の軸方向に沿って導光する第一反射体６１と、この第一反射体６１の外方に設けられ、光源４からの光を外周方向に反射させる第二反射体６２と、第二反射体６２によって反射された光を表示板１方向に反射させる第三反射体６３と、を備える。
【００２５】
以上の構成により指針式計器装置１００が構成される。
これより、指針式計器装置１００の表示板１と指針３の照明方法について説明する。
【００２６】
指針３の回動領域は、図４に示すように、（１）透過部１３を透過した光源４の光を指針３の受光部３１０により受光し、指針３の指示部３２が光輝する第一回動領域３Ａと、（２）遮光部１４により光源４からの光が遮断され、指針３の指示部３２が光輝しない第二回動領域３Ｂと、に分類される。
本実施形態においては、第一回動領域３Ａは約２８０°、第二回動領域３Ｂは約８０°に設けてあり、指針３が表示板１の指標を指し始める角度において指針３が確実に光輝するように第一回動領域３Ａの範囲を設定する。
【００２７】
制御部５１は、（１）表示板１の照明の後、指針３の指示部３２を遅延して照明（点灯）させる点灯遅延手段５１Ａと、（２）表示板１の消灯後、指針３の指示部３２を遅延して消灯させる消灯遅延手段５１Ｂと、を備える。
【００２８】
図５、図６を用いて点灯遅延手段５１Ａについて説明する。
図５（ａ）、図６（ａ）は、ＩＧＮ  ＯＦＦ時における指針式計器装置１００であり、指針３は遮光部１４により光源４の光が遮断される第二回動領域３Ｂの領域内に位置し、光源４は消灯した状態であるので、表示板１と指針３とはそれぞれ照明されていない状態である。（表示板１；消灯、指針３；消灯）
図５（ｂ）、図６（ｂ）は、ＩＧＮ  ＯＮ直後における指針式計器装置１００であり、光源４は点灯を開始するので表示板１は照明されるが、指針３は遮光部１４により光源４の光が遮断される第二回動領域３Ｂの領域内に位置するので照明されない。（表示板１；点灯、指針３；消灯）
図５（ｃ）、図６（ｃ）は、ＩＧＮ  ＯＮ一定時間経過後における指針式計器装置１００であり、指針３は、光源４の光が遮断される第二回動領域３Ｂから第一回動領域３Ａに向けて回動し、第一回動領域３Ａに入ると、透過部１３を透過した光が指針３の受光部３１０に入射するので指針３の指示部３２が点灯する。（表示板１；点灯、指針３；点灯）
【００２９】
斯かる構成により、表示板１と指針３とを共通の光源４により照明を行う指針式計器装置１００において、表示板１の照明のタイミングに対して、指針３の照明されるタイミングが遅延され、趣向を凝らした指針式計器装置１００の起動演出を行うことができる。
【００３０】
つづいて、図７、図８を用いて消灯遅延手段５１Ｂについて説明する。
図７（ａ）、図８（ａ）は、ＩＧＮ  ＯＮ時における指針式計器装置１００であり、指針３は透過部１３により光源４の光が受光部３１０に入射される第一回動領域３Ａの領域内に位置し、光源４は点灯した状態であるので、表示板１と指針３とはそれぞれ照明さている。（表示板１；点灯、指針３；点灯）
図７（ｂ）、図８（ｂ）は、ＩＧＮ  ＯＦＦ直後における指針式計器装置１００であり、指針３は、光源４の光が透過される第一回動領域３Ａから第二回動領域３Ｂに向けて回動し、第二回動領域３Ｂに入ると、光源４の光は遮光部１４により遮断されるので指針３の指示部３２が消灯するが、光源４は点灯しているので、表示板１は照明されたままの状態である。（表示板１；点灯、指針３；消灯）
図７（ｃ）、図８（ｃ）は、ＩＧＮ  ＯＦＦ一定時間経過後における指針式計器装置であり、光源４は消灯し、よって表示板１も消灯される。（表示板１；消灯、指針３；消灯）
【００３１】
斯かる構成により、表示板１と指針３とを共通の光源４により照明を行う指針式計器装置１００において、指針３の消灯のタイミングに対して、表示板１の消灯されるタイミングが遅延され、趣向を凝らした指針式計器装置１００の停止演出を行うことができる。
【００３２】
以下、本実施形態の変形例について、図９乃至図１４を参照して説明する。なお、上記の技術的事項や下記の変形例における技術的事項は、適宜組み合わされても良い。
【００３３】
図９は、ケース体６に遮光部（ケース遮光部）１４１を備えた例である。（第二実施形態）
ケース体６は、遮光性の高い樹脂材料により形成されているため、光源４の光をより確実に遮光することができ、指針３が第二回動領域３Ｂ内に位置するとき、光漏れにより指針３が若干光輝してしまうことを防ぐことができる。
【００３４】
また、図１０に示すように、表示板１をケース体６または後述する導光体８に固定し、指針３に照射された光によるハレーションを防ぐためにリング状の固定部材（カラー）７を設け、上記実施例における遮光部１４を、この固定部材７に第三遮光部１４２として形成してもよい。（第三実施形態）
【００３５】
斯かる構成により、遮光部を固定部材７の一部品により形成することができ、脱着により容易に透過部と遮光部を設けることができる。
【００３６】
また、図１２におけるケース体（第二ケース体）６ａは前述したケース体６とは異なり、第二反射体６２を備えず、表示板１を照明する為の第三反射体６３のみを備え、表示板１と回路基板５との間に導光体８を備える。
導光体８は、光源４の直上に設けられ光源４から発せられた光を指針３側へ導光する導光部８１と、導光部８１の導光経路の途中に設けられ光源４から発せられた光を外側に向けて反射させる反射部８２と、反射部８２によって反射させた光を出射する出射部８３と、を備えており、導光部８１によって導光された光は、透過部１３を介して受光部３１０に入光し、指針３を照明する。
また、導光体８の出射部８３から発せられた光は、ケース体６ａの第三反射体６３に反射させ表示板１の意匠部１１を透過照明する。（第四実施形態）
【００３７】
また、上記実施例において、指針遮光部３１１は、遮光性の塗料等が塗布されるもしくは遮光性の樹脂等により形成されるが、図１３に示すように遮光性の材料により形成され、指針基部３１が挿通する裏蓋孔部９１と、受光部３１０に対応する箇所に受光穴９２と、を備えた裏蓋部９を指針３の裏面に装着してもよい。（第五実施形態）
【００３８】
斯かる構成により、指針を光輝させない第二回動領域３Ｂにおいて、確実に指針に入射する光を遮断し、第一回動領域３Ａと第二回動領域３Ｂにおける指針の点灯／消灯をより確実に行うことができ、脱着により容易に指針遮光部３１１を設けることができる。
【００３９】
また、図１４に示すように、前記第一回動領域３Ａと前記第二回動領域３Ｂの境界において、遮光部１４は半透過部１５を備える。
半透過部１５は、例えば、透光性の表示板１表面に遮光性のドット印刷などにより形成され、、第二回動領域３Ｂから第一回動領域３Ａに近づくにつれ、遮光印刷部１５１の密度が低くなる。
斯かる構成により、第二回動領域３Ｂから第一回動領域３Ａに近づくにつれ、表示板１の透過率が徐々に増加していくため、受光部３１０に入射する光の量も指針３の回動により緩やかに増加させることができる。
半透過部１５は、透過部１３より透過率の低い領域であればよいので、透過率の低い材料、印刷等で形成してもよい。（第六実施形態）
【００４０】
これらの構成をまとめると、本発明における指針式計器装置１００の指針３の回動領域は、透過部１３により光源４の光を透過する第一回動領域３Ａと、遮光部１４により光源４の光を遮断する第二回動領域３Ｂとに分類され、制御部５１は、表示板１の照明の後、指針３の指示部３２を遅延して照明（点灯）させる点灯遅延手段５１Ａと、表示板１の消灯後、指針３の指示部３２を遅延して消灯させる消灯遅延手段５１Ｂとを備える。
【００４１】
斯かる構成により、表示板と指針とを共通の光源にて照明する指針式計器装置において、表示板と指針の点灯／消灯されるタイミングがずらすことができ、趣向を凝らした演出を可能とする。
【符号の説明】
【００４２】
１００    指針式計器装置
１    表示板
２    駆動本体
３    指針
３Ａ  第一回動領域
３Ｂ  第二回動領域
４    光源
５    回路基板
６    ケース体
６ａ  第二ケース体
７    固定部材
８    導光体
９    裏蓋部
１１    意匠部
１２    貫通孔部
１３    透過部
１４    遮光部
１５    半透過部
２１    指針軸
３１    指針基部
３２    指示部
３３    指針キャップ
５１    制御部
５１Ａ  点灯遅延手段
５１Ｂ  消灯遅延手段
６１    第一反射体
６２    第二反射体
６３    第三反射体
８１    導光部
８２    反射部
８３    出射部
９１    裏蓋孔部
９２    受光穴
１４１    ケース遮光部（第二遮光部）
１４２    第三遮光部
１５１    遮光印刷部
３１０    受光部
３１１    指針遮光部
【図１】
2012220290.tif 000003
【図２】
2012220290.tif 000004
【図３】
2012220290.tif 000005
【図４】
2012220290.tif 000006
【図５】
2012220290.tif 000007
【図６】
2012220290.tif 000008
【図７】
2012220290.tif 000009
【図８】
2012220290.tif 000010
【図９】
2012220290.tif 000011
【図１０】
2012220290.tif 000012
【図１１】
2012220290.tif 000013
【図１２】
2012220290.tif 000014
【図１３】
2012220290.tif 000015
【図１４】
2012220290.tif 000016